(57)【要約】【課題】電線が揺動することによっても防水性が損なわれることがなく、フローティングコネクタのようなインナーハウジングが揺動するタイプにも好適な防水コネクタ用シール部材を提供する。【解決手段】防水コネクタの端子収容室の後端に装着され、端子に接続された電線が嵌合する電線シール用の挿通孔を有する防水コネクタ用シール部材において、外周部全域と挿入方向の前後部とに、前記端子収容室との間で押圧されて変形するリップ部を有することを特徴とする防水コネクタ用シール部材。【選択図】図１
2007335298.tif 000002
【特許請求の範囲】
【請求項１】
防水コネクタの端子収容室の後端に装着され、端子に接続された電線が嵌合する電線シール用の挿通孔を有する防水コネクタ用シール部材において、外周部全域と挿入方向の前後部とに、前記端子収容室との間で押圧されて変形するリップ部を有することを特徴とする防水コネクタ用シール部材。
【請求項２】
前記防水コネクタがフローティングタイプであることを特徴とする請求項１記載の防水コネクタ用シール部材。
【請求項３】
前記防水コネクタ用シール部材が一体成型品であることを特徴とする請求項１又は２記載の防水コネクタ用シール部材。
【請求項４】
前記防水コネクタ用シール部材が積層構造であることを特徴とする請求項１又は２記載の防水コネクタ用シール部材。
【発明の詳細な説明】
【技術分野】
【０００１】
本発明は、コネクタハウジング内への防水性能を確保できる防水コネクタ用シール部材に関する。
【背景技術】
【０００２】
図９及び図１０に示すように従来の防水コネクタ１０１は、ハウジング１０２の端子収容室１０３内に挿入される雌型端子１０４と、端子収容室１０３後端に装着され、複数の電線シール用の挿通孔１０７を有するシール部材１０６とを備えている。この雌型端子１０４は、後部には電線Ｗの被覆部と芯線部を固着するための加締部１０９が設けられている。
【０００３】
ハウジング１０２の前方からはパッキン１１１を有するパッキンホルダ１１０が被せられ、前方からの防塵及び防水性を確保している。また、ハウジング１０２の側面からはサイドスペーサ１１２が挿入され、ストッパ１１２ａが箱状電気接触部１０５の後端面を押さえて、雌型端子１０４の後抜けを防止する。また、シール部材１０６の挿通孔１０７の内外面には波形状のシール部１０７ａが設けられており、電線Ｗの外周部と端子収容室１０３の後端部をシールする。
【０００４】
また、ハウジング１０２の後端面には、シール部材１０６の後方から該シール部材１０６を押圧するリアホルダ１１３が装着される。このリアホルダ１１３には、複数の端子用挿通孔１１４が設けられている。更に、ハウジング１０２の後部上面には相手コネクタと嵌合するまでロック機構を覆うランスカバー１１５が装着される。
【０００５】
上記構成の防水コネクタ１０１においては、先ずハウジング１０２の前方からパッキングホルダ１１０が装着された後、端子収容室１０３の後方からシール部材１０６が挿着される。その後、シール部材１０６後方からリアホルダ１１３がハウジング１０２後端に仮係止される。
【０００６】
次に、加締部１０９に電線Ｗを固着した雌型端子１０４がハウジング１０２後端のリアホルダ１１３後方から端子用挿通孔１１４及びシール部材１０６の挿通孔１０７を貫通して端子収容室１０３内に挿入される。その後、シール部材１０６後方からリアホルダ１１３がハウジング１０２前方に押圧されることで本係止されるので、シール部材１０６は弾性変形して強固なシール性を実現する。
【０００７】
次に、雌型端子１０４が端子収容室１０３内に収容された後、サイドスペーサ１１２がハウジング１０２の側面から挿入されることで、ストッパ１１２ａが箱状電気接触部１０５の後端面に配置される。これにより、端子収容室１０３内のハウジングランス１０２ａが箱状電気接触部１０５の底板に設けられたランス穴１０５ｂを係止することと相まって雌型端子１０４が二重係止され、雌型端子の後抜けが確実に防止される。そして、ハウジング２の後部上面にランスカバー１１５が被せられる。
【０００８】
【特許文献１】特開２０００−２０８２００号公報（図１〜図５）
【発明の開示】
【発明が解決しようとする課題】
【０００９】
しかしながら、上記従来の構成では、防水コネクタ１０１の後方へ導出された電線Ｗに上下及び左右方向へ引っ張り等による外力が作用すると、リアホルダ１１３の電線挿通口１１４の範囲において電線Ｗが揺動し、それによってシール部材収容部内のシール部材１０６も追従して動くことでシール部材収容部内壁からリップ１０７ａがわずかに離間して隙間が生ずることがある。そして、この隙間から水分が侵入する恐れがある。
【００１０】
シール部材収容部とリップ１０７ａとの隙間から水分が侵入するのを防止するには、リアホルダ１１３によるシール部材１０６の押圧力を強くして緊密性を高めればよいが、リアホルダ１１３に対する反力が大きくなり、リアホルダ１１３が離脱する恐れがある。
【００１１】
また、フローティングコネクタのようにアウタハウジング内でインナーハウジングを調芯のために揺動可能としている防水コネクタでは、シール部材がリアホルダによって強く圧縮されていると、シール部材に挿通された電線が完全に固定されてしまう。そこで、インナーハウジングが動けるようにするために、シール部材とインナーハウジングとの間にスペースを設ける必要があり、コネクタが大型化するという問題がある。
【００１２】
本発明の目的は、上記従来の問題を解消することにあり、電線が揺動することによっても防水性が損なわれることがなく、またフローティングコネクタのようなインナーハウジングが揺動するタイプにも好適な防水コネクタ用シール部材を提供することにある。
【課題を解決するための手段】
【００１３】
本発明の上記目的は、下記構成により達成される。
（１）  防水コネクタの端子収容室の後端に装着され、端子に接続された電線が嵌合する電線シール用の挿通孔を有する防水コネクタ用シール部材において、外周部全域と挿入方向の前後部とに、前記端子収容室との間で押圧されて変形するリップ部を有することを特徴とする防水コネクタ用シール部材。
【００１４】
（２）  前記防水コネクタがフローティングタイプであることを特徴とする前記（１）１記載の防水コネクタ用シール部材。
【００１５】
（３）  前記防水コネクタ用シール部材が一体成型品であることを特徴とする前記（１）又は（２）記載の防水コネクタ用シール部材。
【００１６】
（４）  前記防水コネクタ用シール部材が積層構造であることを特徴とする前記（１）又は（２）記載の防水コネクタ用シール部材。
【発明の効果】
【００１７】
本発明によれば、シール部材の外周部全域と挿入方向の前後部とに、前記端子収容室との間で押圧されて変形するリップ部を有することにより、シール部材と端子収容室との間が常に液密にシールされる。また、電線が外部からの力により揺動してシール部材が電線の揺動に追従しても、押圧されて変形したリップ部が更に変形してシール部材の動きを許容するので、シール部材のシール性が低下することはなく、確実なシールが保証される。
【００１８】
シール部材に設けられるリップ部は、弾性体からなり、シール部材と一体成形されてもよく、また単独に成形された後にシール部材に固着されてもよい。
【００１９】
リップ部はゴム、軟質プラスチック等の弾性変形可能な弾性体からなる。
リップ部がシール部材と一体成形される場合は、シール部材も上記弾性体からなり、シール部材自身も弾性変形可能となる。この場合、シール部材は自身の変形によっても電線の揺動に追従しながら防水性も維持することができ、シール部材の防水性が低下することはなく、確実な防水が保証される。
【発明を実施するための最良の形態】
【００２０】
以下、添付図面を参照して、本発明の実施形態を説明する。図１は本発明の１実施形態であるコネクタに用いられるシール部材の斜視図、図２はシール部材の側面図、図３はシール部材の平面図である。図４はシール部材の第２実施形態の斜視図である。図５はシール部材を雌コネクタのインナーハウジングに装着した状態の横断面図、図６はシール部材をインナーハウジングに装着した状態の縦断面図、図７はシール部材をインナーハウジングに装着した状態の横断面図である。
【００２１】
シール部材１０は、ゴムや軟質プラスチック等の弾性材からなり、所定の厚みを有する長方形の板状に一体成形されている。シール部材１０には、端子１２に接続される電線１４が挿通する挿通孔１６が多数形成されている。挿通孔１６の内面には山形のリップ部１６ａが形成されており、電線１４が挿通孔１６に挿通するとリップ部１６ａにより液密にシールされるようになっている。
【００２２】
シール部材１０の外周には全域にわたってリップ部１８が形成されている。シール部材の各長辺には、山形の２条の上下リップ部１８が形成されている。また、シール部材の各短辺には、厚み方向にわたる１条の山形の左右リップ部２０が形成されている。更に、シール部材の短辺の厚み方向両端（挿入方向の前後面）に沿った周囲には１条の山形の前後リップ部２１が形成されている。
【００２３】
図１〜図３に示すシール部材１０は１部品で構成されたものであるが、図４にシール部材の第２実施形態を示すように、シール部材１１は１部品でなく、複数に分割された部材１１ａ，１１ｂ，１１ｃ，１１ｄ，１１ｅを上下方向に積層した構成であってもよい。
【００２４】
次に、シール部材１０の装着について説明する。
図５に示すように、雌コネクタ２２はインナーハウジング２４内にプレートハウジング２６が遊嵌状態で収容された、フローティング構造となっている。プレートハウジング２６内には、多数の雌端子１２が収容されており、各雌端子１２には電線１４が接続されている。電線１４はプレートハウジング２６から後方に延出し、更にシール部材１０の挿通孔に嵌合して支持固定され、更に後方に延出している。
【００２５】
インナーハウジング２４の内壁にはシール部材１０の周縁部を支持する受け面２８が形成されている。シール部材１０の後方には電線１４及びシール部材１０をインナーハウジング２４に固定するためのリアホルダ３０が装着されている。
【００２６】
一方、雄コネクタ３２には多数の雄端子３４が収容されており、雄コネクタ３２から突出した雄端子３４がインナーハウジング２４内の雌端子１２と嵌合することにより、両者が電気的に接続される。
【００２７】
雌コネクタ２２がフローティング構造となっているので、図５に示すように雄コネクタ３２の雄端子３４が斜めに曲がって雌コネクタ２２に挿入されても、プレートハウジング２６が曲がった方向に追従して動くことができるので、両コネクタ２２，３２は適正な電気接続状態で嵌合することができる。
【００２８】
図６及び図７に、シール部材１０とリアホルダ３０を雌コネクタ２２のインナーハウジング２４に装着した状態の要部縦断面図を示す。図６に示すように、インナーハウジング２４の後側からシール部材１０を挿入すると、シール部材１０の外周に形成された上下リップ部１８及び左右リップ部２０がインナーハウジング２４の内壁との間で押しつぶされて変形する。このとき、シール部材１０の短辺の前後側に形成された前後リップ部２１にはまだ押圧力が作用しておらず、前後リップ部２１はまだ変形していない。
【００２９】
更に、シール部材１０の後方からリアホルダ３０を挿入し、リアホルダ３０を適正位置に装着すると、シール部材１０の短辺の前後側に形成された前後リップ部２１はインナーハウジング２４の受け面２８に押し付けられ、受け面２８及びリアホルダ３０との間で変形する。
【００３０】
なお、図６はリアホルダ３０が装着されているが、シール部材１０をまだ押圧していない状態であり、シール部材１０の前後リップ部２１はまだ変形していない。また、図７はリアホルダ３０が装着され前後リップ部２１のうち前側のリップ部２１だけが変形した状態である。
【００３１】
図５に示すように、プレートハウジング２６の雌端子１２と雄コネクタ３２の雄端子３４とが斜めに嵌合した場合、シール部材１０に嵌合した電線１４の曲がりによりシール部材１０が矢印Ａで示すような回転力を受ける。従来のシール部材であれば、シール部材とインナーハウジング２４の内壁との間に隙間が生じてしまうが、上記構成のシール部材１０によれば、シール部材１０の左右リップ部２１が変形するのでインナーハウジング２４の内壁との間に隙間が生じないようになる。
【００３２】
また、シール部材１０に逆方向の回転力が作用しても同様に左右リップ部２１が変形するので、インナーハウジング２４の内壁との間に隙間が生じないようになる。更に、シール部材１０の上下リップ部１８も同様に変形するので、インナーハウジング２４の内壁との間に隙間が生じないようになる。
【００３３】
また、シール部材１０はリアホルダ３０により押圧されているので、シール部材１０とインナーハウジング２４の受け面２８との間で前リップ部２１が変形して受け部２８と密接し、シール部材１０とリアホルダ３０との間で後リップ部２１が変形してリアホルダ３０と密接し、受け面２８及びリアホルダ３０との間に隙間が生じることがない。
【００３４】
したがって、シール部材１０がどのような方向に力を受けても、シール部材１０とインナーハウジング２４との間、及びシール部材１０とリアホルダ３０との間に隙間が生じることはなく、確実な防水性が保証される。
【００３５】
特に、図５に示すようなフローティングタイプのコネクタのように、電線１４によりシール部材１０に力が作用しがちなコネクタにおいては、シール部材１０にどのような力が作用してもシール部材１０による確実な防水性が保証される。またシール部材１０自身も弾性材により成形されていることから適度にインナーハウジング２４内で変形できるので、一層防水性が確実となる。
【００３６】
更に、リアホルダ３０は、変形してつぶれたリップ部２１に接しているので、リアホルダ３０がシール部材１０から受ける反力はそれほど大きくならず、リアホルダ３０が脱落する恐れはない。
【００３７】
図８は上記実施形態が適用される防水コネクタの一例を表す分解斜視図である。
図８に示すように、防水コネクタ４０は、雄コネクタ４１と、雌コネクタ４２と、レバー４３と、電線カバー４４とからなる。雄コネクタ４１は、雄ハウジング４５と、基板４６と、雄アウターカバー４７と、基板台座４８とからなる。雌コネクタ４２は、雌インナーハウジング４９と、雌アウターハウジング５０と、雌プレートハウジング５１と、ワイヤーシール５２とからなる。
【００３８】
雄ハウジング４５は多数の雄端子５３を収容しており、雄端子５３が基板４６に実装されることで基板４６上に固定されている。雄端子５３は、基板４６に設けられているプリント配線や基板４６上に実装されている電子素子にそれぞれ電気的に接続されている。雄ハウジング４５は、基板４６を挟んで雄アウターカバー４７が基板台座４８に固定されることで雄コネクタ４１の端部に配置される。
【００３９】
雌インナーハウジング４９は、四角形の枠形状に形成されており、雌インナーハウジング４９よりもわずかに大きい雌アウターハウジング５０に収容される。雌アウターハウジング５０は、一対の天板５３の内面に枢支軸５４がそれぞれ突出形成されている。枢支軸５４はレバー４３に形成された枢支孔５６と係合する。
【００４０】
雌プレートハウジング５１は、多数の雌端子５５を収容しており、雌インナーハウジング４９に収容されてから、レバー４３が回動されることで、雌アウターハウジング５０を介して雌インナーハウジング４９が雄ハウジング４５側にスライド移動されて雌端子５５を雄端子５３に接続させる。雌端子５５に電気的に接続される電線（図示せず）は、雌プレートハウジング５１に組み付けられるワイヤーシール５２によって水密を保持され、雌アウターハウジング５０に外装される電線カバー４４に囲まれて保護される。
【００４１】
上記実施形態のシール部材は、図８に示す防水コネクタのワイヤーシールとして用いることができ、上述のような効果を奏する。
【図面の簡単な説明】
【００４２】
【図１】本発明の第１実施形態であるシール部材の斜視図である。
【図２】本発明の第１実施形態であるシール部材の側面図である。
【図３】本発明の第１実施形態であるシール部材の平面図である。
【図４】本発明の第２実施形態であるシール部材の平面図である。
【図５】シール部材をインナーハウジングに装着した状態の横断面図である。
【図６】シール部材をインナーハウジングに装着した状態の縦断面図である。
【図７】シール部材をインナーハウジングに装着した状態の横断面図である。
【図８】本発明が適用される防水コネクタの一例を表す分解斜視図である。
【図９】従来の防水コネクタの分解斜視図である。
【図１０】従来の防水コネクタの断面図である。
【符号の説明】
【００４３】
１０，１１  シール部材
１２  雌端子
１４  電線
１６  挿通孔
１８  上下リップ部
２０  左右リップ部
２２  前後リップ部
２４  インナーハウジング
２６  プレートハウジング
２８  受け面
３０  リアホルダ
３２  雄コネクタ
３４  雄端子
【図１】
2007335298.tif 000003
【図２】
2007335298.tif 000004
【図３】
2007335298.tif 000005
【図４】
2007335298.tif 000006
【図５】
2007335298.tif 000007
【図６】
2007335298.tif 000008
【図７】
2007335298.tif 000009
【図８】
2007335298.tif 000010
【図９】
2007335298.tif 000011
【図１０】
2007335298.tif 000012